(57)【要約】【課題】バネ接触部と相手端子間の接触荷重を維持しつつ小型化を図ることができる接続端子を提供する。【解決手段】相手端子２が内部に挿入される筒部３と、筒部３より延設され、筒部３内に配置されたバネ接触部４とを有し、バネ接触部４は、筒部３に接続された根本４３から相手端子２が接触するインデント４１までの間で、交互に折り返された複数の湾曲部４２を備え、バネ接触部４の弾性変形によって相手端子２の筒部３内への挿入が許容され、筒部３内に挿入された相手端子２がバネ接触部４の弾性復帰力を接触荷重としてバネ接触部４と電気的に接続される。【選択図】図３
2014225341.tif 000002
【特許請求の範囲】
【請求項１】
相手端子が内部に挿入される筒部と、前記筒部より延設され、前記筒部内に配置されたバネ接触部を有し、
前記バネ接触部の弾性変形によって前記相手端子の前記筒部内への挿入が許容され、前記筒部内に挿入された前記相手端子が前記バネ接触部の弾性復帰力を接触荷重として電気的に接続される接続端子であって、
前記バネ接触部は、前記筒部に接続された根本から前記相手端子が接触する接触箇所までの間で、交互に折り返された複数の湾曲部を有することを特徴とする接続端子。
【請求項２】
請求項１記載の接続端子であって、
前記相手端子の挿入方向への前記バネ接触部の変位を規制する位置規制部を有することを特徴とする接続端子。
【発明の詳細な説明】
【技術分野】
【０００１】
本発明は、筒部にバネ接続部を有する接続端子に関する。
【背景技術】
【０００２】
筒部にバネ接続部を有する接続端子が従来より種々提案されている（特許文献１参照）。この種の接続端子の一従来例として、図５〜図７に示すものがある。図５〜図７において、接続端子１００は、板状の相手端子（タブ端子）１０１が内部に挿入される筒部１０２と、この筒部１０２より延設され、筒部１０２内に配置されたバネ接触部１０３と、図示しない電線に接続される電線接続部１０４と、筒部１０２と電線接続部１０４の間に配置された首部１０５とを有し、これらが導電性の板材を所定形状に成形して折り曲げ加工することにより形成されている。筒部１０２は、天板部１０２ａより内側に突出し、相手端子１０１に接触する一対の突部１０６と、側板部１０２ｂより内側に切り起こして形成され、相手端子挿入方向の直交方向へのバネ接触部１０３の変位を規制する位置規制部１０７とを備えている。一対の突部１０６は、天板部１０２ａの幅方向の両側端に相手端子１０１の挿入方向へ沿ってそれぞれ延設され、相手端子１０１の幅方向の両側端と接触する。バネ接触部１０３は、底板部１０２ｃの前端より延設され、筒部１０２内で湾曲されている。湾曲された最上端箇所に相手端子１０１と接触するインデント１０３ａが形成されている。
【０００３】
上記構成において、図６及び図７に示すように、相手端子１０１を筒部１０２内に挿入すると、バネ接触部１０３が相手端子１０１と接触し、バネ接触部１０３が押圧されて図７の矢印方向へ弾性変形する。これにより、相手端子１０１の筒部１０２内への挿入が許容され、筒部１０２内に挿入された相手端子１０１がバネ接触部１０３の弾性復帰力を接触荷重としてバネ接触部１０３及び天板部１０２ａに電気的に接続される。従って、バネ接触部１０３と相手端子１０１間にて接触荷重を得た状態で、相手端子１０１がバネ接触部１０３上を摺動するので、バネ接触部１０３の表面を覆う酸化皮膜を除去でき、バネ接触部１０３と相手端子１０１間で良好な導電性を維持できる。
【先行技術文献】
【特許文献】
【０００４】
【特許文献１】特開２００７−２８０８２５号公報
【発明の概要】
【発明が解決しようとする課題】
【０００５】
ところで、前述した従来技術の接続端子１００にあっては、当該接続端子１００の小型化や軽量化のために、筒部１０２の寸法Ｌ２を短くしたり、板材を薄肉化したいという要請がある。筒部１０２の寸法Ｌ２を短くしてバネ接触部１０３の長さを短くする場合、又は、接続端子１００を形成する導電性板材の板厚を薄くする場合、バネ接触部１０３のバネ定数が低下してバネ接触部１０３と相手端子１０１間にて大きく、且つ安定した接触荷重が得られないという問題がある。これにより、相手端子１０１がバネ接触部１０３上を摺動する際に、バネ接触部１０３の表面を覆う酸化皮膜の除去が難しくなるので、バネ接触部１０３と相手端子１０１間の導電性が低下する。
【０００６】
そこで、本発明は、前記した課題を解決すべくなされたものであり、バネ接触部と相手端子間の接触荷重を大きく、且つ安定した状態に維持しつつ、小型化を図ることができる接続端子を提供することを目的とする。
【課題を解決するための手段】
【０００７】
本発明は、相手端子が内部に挿入される筒部と、前記筒部より延設され、前記筒部内に配置されたバネ接触部とを有し、前記バネ接触部の弾性変形によって前記相手端子の前記筒部内への挿入が許容され、前記筒部内に挿入された前記相手端子が前記バネ接触部の弾性復帰力を接触荷重として電気的に接続される接続端子であって、前記バネ接触部は、前記筒部に接続された根本から前記相手端子が接触する接触箇所実施形態のインデントまでの間で、交互に折り返された複数の湾曲部を有することを特徴とする接続端子である。
【０００８】
前記相手端子の挿入方向への前記バネ接触部の変位を規制する位置規制部を有するものを含む。
【発明の効果】
【０００９】
本発明によれば、相手端子が筒部に挿入されると、バネ接触部がその複数の湾曲部で撓み変形することによって相手端子の挿入を許容し、複数の湾曲部からの弾性復帰力を接触荷重とするため、筒部の長さを短くてもバネ接触部と相手端子間にて大きく、且つ安定した接触荷重が得られる。以上より、バネ接触部と相手端子間の接触荷重を大きく、且つ安定した状態に維持しつつ接続端子の小型化を図ることができる。また、接続端子を形成する導電性板材の板厚を薄くした場合も同様であり、バネ接触部と相手端子間にて大きく、且つ安定した接触荷重が得られる。
【図面の簡単な説明】
【００１０】
【図１】本発明の一実施形態を示し、接続端子の斜視図である。
【図２】本発明の一実施形態を示し、接続端子の断面図である。
【図３】本発明の一実施形態を示し、相手端子が挿入された接続端子の断面図である。
【図４】本発明の一実施形態を示し、筒部内の構造などを説明する一部破断した斜視図である。
【図５】一従来例を示し、接続端子の斜視図である。
【図６】一従来例を示し、接続端子の断面図である。
【図７】一従来例を示し、相手端子が挿入された接続端子の断面図である。
【発明を実施するための形態】
【００１１】
以下、本発明の一実施形態を図面に基づいて説明する。
【００１２】
図１〜図４は本発明の一実施形態を示す。なお、図４は図２（縦断面図）に対応する斜視図で、筒部３内の構造を分かりやすく説明するため筒部３などの一部を破断した状態で示してある。
【００１３】
本実施形態の接続端子１は、天板部３ａ，側板部３ｂ、及び底板部３ｃにより略四角筒状に形成され、板状の相手端子２が内部に挿入される筒部３と、図示しない電線に接続される電線接続部５と、筒部３と電線接続部５との間に配置された首部６とを有する。これら部材は、導電性の板材（図示せず）を所定形状に成形して折り曲げ加工することにより形成されている。又、筒部３の天板部３ａにあ、バネ接触部４の一端側が固定されている。
【００１４】
筒部３は、筒部３の底板部３ｃより内側に突出し、相手端子２の一方の面（図３の下面）２ａと接触する一対の突部３１と、天板部３ａより内側に延設され、相手端子２の挿入方向へのバネ接触部４の変位を規制する位置規制部３２とを備えている。なお、筒部３の長さＬ１は、図６に示す従来例の筒部１０２の長さＬ２より短く設定されている。
【００１５】
バネ接触部４は、筒部３内に配置され、相手端子２の他方の面（図３の上面）２ｂと接触するインデント（接触箇所）４１と、筒部３に接続された根本４３から相手端子２が接触するインデント４１までの間で、交互に折り返された３箇所の湾曲部４２とを有する。３箇所の湾曲部４２は、相手端子２の挿入を許容する方向（端子挿入方向の直交方向）をそれぞれ撓み方向とする。一対の突部３１は、天板部３ａの幅方向の両側端に相手端子２の挿入方向へ沿ってそれぞれ延設され、相手端子２の幅方向の両側端と接触する。
【００１６】
上記構成において、相手端子２を筒部３内に挿入すると、バネ接触部４が相手端子２と接触して上方に押圧され、この押圧力でバネ接触部４の３箇所の湾曲部４２がそれぞれ撓み弾性変形する。これにより、相手端子２の筒部３内への挿入が許容され、筒部３内に挿入された相手端子２がバネ接触部４の弾性復帰力を接触荷重としてバネ接触部４及び天板部３ａと電気的に接続される。より具体的には、相手端子２は、バネ接触部４のインデント４１及び天板部３ａの突部３１に接触する。
【００１７】
以上説明したように、相手端子２が筒部３に挿入されると、バネ接触部４がその複数の湾曲部４２で撓み変形することによって相手端子２の挿入を許容し、３箇所の湾曲部４２からの弾性復帰力をバネ接触部４と相手端子２間の接触荷重とするため、筒部３の長さＬ１を短くしても、バネ接触部４と相手端子２間にて大きく、且つ安定した接触荷重が得られる。以上より、バネ接触部４と相手端子２間の接触荷重を大きく、且つ安定した状態に維持しつつ、当該接続端子１の小型化を図ることができる。また、相手端子２がバネ接触部４上を摺動する際にバネ接触部４の表面を覆う酸化皮膜を十分に除去できるので、バネ接触部４と相手端子２間で良好な導電性を維持できる。
【００１８】
相手端子２の挿入過程で、バネ接触部４と相手端子２間の摩擦に起因して相手端子２より挿入方向への外力を受けるが、この外力によってバネ接触部４が相手端子２の挿入方向へ変位することが位置規制部３２により規制され、バネ接触部４が相手端子２の挿入方向へ所定位置を越えて変形することがないため、バネ接触部４が常に所望の撓み変形を行い、安定した接触荷重を得ることができる。
【００１９】
筒部３の突部３１及びバネ接触部４のインデント４１が互いに近づく方向へ突出し、これらの突部３１及びインデント４１が筒部３に挿入される相手端子２とそれぞれ強く接触するので、バネ接触部４と相手端子２間でより大きな接触荷重が得られる。
【００２０】
なお、前記実施形態では、バネ接触部４が筒部３の前端面より延設されているが、筒部の前端面の代わりに筒部の後端面より延設しても良い。また、前記実施形態では、バネ接触部４が３箇所に湾曲部４２を有するが、２箇所、４箇所以上に湾曲部を有しても良い。
【００２１】
また、前記実施形態では、筒部３の長さＬ１を比較的短く設定した場合を例示したが、本発明はこれに限定されず、接続端子を形成する導電性板材の板厚を薄くした場合も同様であり、バネ接触部と相手端子間にて大きく、且つ安定した接触荷重が得られる。
【符号の説明】
【００２２】
１  接続端子
２  相手端子（タブ端子）
３  筒部
４  バネ接触部
３２  位置規制部
４１  インデント（接触箇所）
４２  湾曲部
【図１】
2014225341.tif 000003
【図２】
2014225341.tif 000004
【図３】
2014225341.tif 000005
【図４】
2014225341.tif 000006
【図５】
2014225341.tif 000007
【図６】
2014225341.tif 000008
【図７】
2014225341.tif 000009